(57)【要約】【課題】バッテリーポストへの取付に係る操作性や取付後の信頼性に優れたものとする。【解決手段】バッテリー端子２は、バッテリーポスト１の外周を巻回する嵌合部５を有し、その両端が一対の弾性板６，７となる端子本体３と、弾性板６に基端部が回転可能に連結され、弾性板７側への回転操作によって先端部１６が弾性板７と係止し、両弾性板６，７同士を接近させて嵌合部５を縮径させるロックレバー４とを備え、ロックレバー４の基端部を、弾性板６の突出方向と平行なボルト１４を中心として回転可能に連結して、弾性板７へは上方からの倒伏操作によって先端部１６が係止可能とした。【選択図】図１
2008243458.tif 000002
【特許請求の範囲】
【請求項１】
バッテリーの上面に突設されるバッテリーポストの外周を巻回する嵌合部を有し、その嵌合部の両端が、前記バッテリーポストの半径方向へ略平行に突出する一対の弾性板となる端子本体と、一方の弾性板に基端部が回転可能に連結され、他方の弾性板側への回転操作によって先端部が前記他方の弾性板と係止し、前記端子本体の両弾性板同士を接近させて前記嵌合部を縮径させるロックレバーとを備えたバッテリー端子であって、
前記ロックレバーの基端部を、前記一方の弾性板の突出方向と平行な軸を中心として回転可能に連結して、前記他方の弾性板へは上方からの倒伏操作によって前記先端部が係止可能としたことを特徴とするバッテリー端子。
【請求項２】
ロックレバーの基端部を上下動可能に連結する一方、前記ロックレバーの先端部における他方の弾性板との係止部を、前記ロックレバーを前記基端部の上限位置から倒伏操作した際に前記他方の弾性板の外面に当接して当該弾性板を一方の弾性板側へ押圧し、前記ロックレバーを倒伏姿勢から前記基端部の下限位置へ移動させた際には前記他方の弾性板の下方へ外れる第１係止部と、その第１係止部の上方に位置し、前記第１係止部が前記他方の弾性板の下方へ外れる状態で前記他方の弾性板の外面に当接して当該弾性板を前記一方の弾性板側へ押圧する第２係止部とから構成したことを特徴とする請求項１に記載のバッテリー端子。
【発明の詳細な説明】
【技術分野】
【０００１】
本発明は、自動車等に搭載されるバッテリーに設けられるバッテリーポストに、電線を接続するために用いられるバッテリー端子に関する。
【背景技術】
【０００２】
自動車等に搭載されるバッテリーの上面には、円錐状又は円筒状にバッテリーポストが突設されており、このバッテリーポストに電線を接続するためにバッテリー端子が用いられている。このバッテリー端子は、例えば特許文献１に示すように、バッテリーポストの外周部に嵌合される嵌合部及びその嵌合部の両端から延設される一対の締付部からなるターミナル本体と、そのターミナル本体の一方の締付部を跨ぐ格好で他方の締付部へ取り付けられ、突出する基端部によって水平回転操作可能なレバーとを備えている。このバッテリー端子においては、ターミナル本体の嵌合部をバッテリーポストの外周部に嵌合させた状態でレバーを回転させると、レバーに設けたネジの先端部が一方の締付部の凸部を押圧して両締付部間を接近させ、嵌合部を縮径させてバッテリーポストへの取付が可能となっている。
【０００３】
【特許文献１】特開平１１−３２９５４３号公報
【発明の開示】
【発明が解決しようとする課題】
【０００４】
上記バッテリー端子においては、水平方向に突出するレバーの基端部を水平回転させて締付を行う構造であるため、比較的広い操作スペースが必要となり、狭い場所では取付操作がしにくくなる上、取り扱いの際に偶発的にレバーが回転して締付が解除されるおそれもあり、操作性や信頼性の低下を招いていた。また、締付部の押圧をレバーに設けたネジによって得ているため、当該ネジが破損したり紛失したりするとバッテリーポストへの取付自体ができなくなるという問題もあった。
【０００５】
そこで、本発明は、バッテリーポストへの取付に係る操作性や取付後の信頼性に優れ、部品の破損や紛失のおそれも少ないバッテリー端子を提供することを目的としたものである。
【課題を解決するための手段】
【０００６】
上記目的を達成するために、請求項１に記載の発明は、バッテリーの上面に突設されるバッテリーポストの外周を巻回する嵌合部を有し、その嵌合部の両端が、バッテリーポストの半径方向へ略平行に突出する一対の弾性板となる端子本体と、一方の弾性板に基端部が回転可能に連結され、他方の弾性板側への回転操作によって先端部が他方の弾性板と係止し、端子本体の両弾性板同士を接近させて嵌合部を縮径させるロックレバーとを備えたバッテリー端子であって、ロックレバーの基端部を、一方の弾性板の突出方向と平行な軸を中心として回転可能に連結して、他方の弾性板へは上方からの倒伏操作によって先端部が係止可能としたことを特徴とするものである。
請求項２に記載の発明は、請求項１の目的に加えて、取付後の信頼性をより高めるために、ロックレバーの基端部を上下動可能に連結する一方、ロックレバーの先端部における他方の弾性板との係止部を、ロックレバーを基端部の上限位置から倒伏操作した際に他方の弾性板の外面に当接して当該弾性板を一方の弾性板側へ押圧し、ロックレバーを倒伏姿勢から基端部の下限位置へ移動させた際には他方の弾性板の下方へ外れる第１係止部と、その第１係止部の上方に位置し、第１係止部が他方の弾性板の下方へ外れる状態で他方の弾性板の外面に当接して当該弾性板を一方の弾性板側へ押圧する第２係止部とから構成したことを特徴とするものである。
【発明の効果】
【０００７】
請求項１に記載の発明によれば、ロックレバーの操作スペースが小さくて済み、狭い場所でもバッテリーポストへの取付が容易となる上、取付状態もコンパクトとなってロックレバーが偶発的に外れるおそれが低減される。従って、バッテリーポストへの取付に係る操作性や取付後の信頼性にも優れる。さらに、先端部にネジ等を用いずに直接弾性板に係止させるため、部品の破損や紛失等のおそれも低減される。
請求項２に記載の発明によれば、請求項１の効果に加えて、ロックレバーを一旦上限位置に引っ張り上げないとバッテリーポストから取り外しできない構造となる。よって、係止状態のロックレバーが偶発的に外れるおそれがなくなって取付後の信頼性がより高まる。
【発明を実施するための最良の形態】
【０００８】
以下、本発明の実施の形態を図面に基づいて説明する。
図１は、本発明のバッテリー端子の一例を示す分解斜視図である。図において、１は、バッテリーの上面に立設されるバッテリーポストで、上面を平坦とした円錐状に形成されている。このバッテリーポスト１に取り付けられるバッテリー端子２は、バッテリーポスト１に嵌合される端子本体３と、その端子本体３に取り付けられるロックレバー４とからなる。
まず、端子本体３は、バッテリーポスト１の外周面を巻回する格好で嵌合する円錐筒状の嵌合部５と、その嵌合部５の両端からバッテリーポスト１の半径方向へ所定間隔を有した状態で略平行に突出する一対の弾性板６，７とを備えている。このうち一方の弾性板６の先端部には、電線８がカシメ片９，９・・によって電気的接続されており、中間部には、他方の弾性板７との反対側へ直交状に突出し、下方へ折り曲げた一対の折曲片１１，１１に上下方向へ伸びる長孔１２を夫々形成した倒コ字状の連結部１０が突設されている。
【０００９】
そして、ロックレバー４は、Ｌ字状に折曲した板体で、基端部の両サイドには、連結部１０の折曲片１１，１１の夫々外側に位置する連結片１３，１３を有しており、この連結片１３，１３と折曲片１１，１１の各長孔１２とを弾性板６と平行なボルト１４に貫通させてナット１５で固定することで、基端部は、ボルト１４を中心として回転可能で、且つボルト１４が長孔１２の上下端に当接する範囲で上下動可能に連結されている。
また、ロックレバー４の先端部１６の内面には、横断面が半円形となる突条１７（第２係止部）が突設され、先端部１６の下端には、内側へくの字状に折り返される折り返し片１８（第１係止部）が形成されている。
【００１０】
ここでは、ボルト１４が長孔１２の下端に当接する下限位置でロックレバー４を弾性板７側に回転させると、先端部１６の折り返し片１８が弾性板７に当接してそれ以上の回転が規制されるが、ボルト１４が長孔１２の上端に当接する上限位置でロックレバー４を弾性板７側に回転させると、先端部１６の折り返し片１８は弾性板７と干渉することなく弾性板７の外側へ回り込む。このとき、突条１７は弾性板７の外側上端縁と干渉することになるが、突条１７自体の形状に加え、ロックレバー４の回転によって折り返し片１８が弾性板７を弾性板６側へ押圧するため、突条１７は弾性板７を乗り越え可能となっている。
【００１１】
以上の如く構成されたバッテリー端子２においては、まず端子本体３の嵌合部５をバッテリーポスト１の外周部に嵌合させる。そして、図２（Ａ）の実線に示すように、ロックレバー４を上限位置から弾性板７の上方へ倒伏させるように回転させる。すると、同図（Ａ）に二点鎖線で示すように、折り返し片１８が弾性板７の外面に当接し、ロックレバー４の回転に伴って弾性板７を弾性板６側へ押圧する。この動作によって、突条１７は弾性板７の上端と干渉することなく弾性板７を乗り越えるため、同図（Ｂ）に示すようにロックレバー４が略水平姿勢になる。この状態で、弾性板７は弾性板６に接近して嵌合部５が縮径し、バッテリーポスト１の外周部を締め付ける。
【００１２】
次に、略水平姿勢のロックレバー４をそのまま下方へ押し下げると、同図（Ｃ）に示すように、ボルト１４が長孔１２の下端に達する下限位置へ移動すると共に、折り返し片１８が弾性板７の外面から外れて下方に突出する。しかし、突条１７は弾性板７の外側にあって依然として弾性板７を弾性板６側へ押圧しているため、弾性板６，７の接近状体は変わらず、嵌合部５の縮径によるバッテリーポスト１への締め付け固定は維持される。このとき、図２（Ｃ）の下限位置からロックレバー４を上方に回転させようとしても、突条１７が弾性板７と干渉するため、ロックレバー４の回転は規制される。従って、図３にも示すようにバッテリー端子２はバッテリーポスト１へロック状態で取り付けられる。
【００１３】
一方、バッテリー端子２を取り外したり、電線８の向きを変えたりしたい場合は、上記と逆の手順で、まず図２（Ｃ）の下限位置にあるロックレバー４を上限位置に引っ張り上げる。
すると、図２（Ｂ）のように折り返し片１８が再び弾性板７に乗り上がってその外面に当接すると共に、突条１７が弾性板７を乗り越え可能な位置に達するため、そのままロックレバー４を右方向へ回転させれば、突条１７及び折り返し片１８が夫々弾性板７から離れて弾性板７の押圧を解除する。よって、弾性板６，７の間隔が広がって嵌合部５の縮径が解除されるため、そのまま端子本体３をバッテリーポスト１の外周部から抜き取ったり、端子本体３を任意の方向へ回転させたりすることができる。
【００１４】
このように、上記形態のバッテリー端子２によれば、ロックレバー４の基端部を、弾性板６の突出方向と平行なボルト１４を中心として回転可能に連結して、弾性板７へは上方からの倒伏操作によって先端部１６を係止させる構造としたことで、ロックレバー４の操作スペースが小さくて済み、狭い場所でもバッテリーポスト１への取付が容易となる上、取付状態もコンパクトとなってロックレバー４が偶発的に外れるおそれが低減される。従って、バッテリーポスト１への取付に係る操作性や取付後の信頼性に優れる。さらに、先端部１６にネジ等を用いずに直接弾性板７に係止させるため、部品の破損や紛失等のおそれも低減される。
【００１５】
特にここでは、ロックレバー４の基端部をボルト１４と長孔１２とによって上下動可能に連結する一方、ロックレバー４の先端部１６における弾性板７との係止部を、ロックレバー４を基端部の上限位置から倒伏操作した際に弾性板７の外面に当接して当該弾性板７を弾性板６側へ押圧し、ロックレバー４を倒伏姿勢から基端部の下限位置へ移動させた際には弾性板７の下方へ外れる折り返し片１８と、その折り返し片１８の上方に位置し、折り返し片１８が弾性板７の下方へ外れる状態で弾性板７の外面に当接して当該弾性板７を弾性板６側へ押圧する突条１７とから構成したことで、ロックレバー４を一旦上限位置に引っ張り上げないとバッテリーポスト１から取り外しできない構造となる。よって、係止状態のロックレバー４が偶発的に外れるおそれがなくなって取付後の信頼性がより高まる。
【００１６】
なお、上記形態では、弾性板側に長孔を設けてロックレバーの基端部を上下動可能としているが、ロックレバーの基端部側に長孔を設けてもよい。勿論ロックレバーの回転軸はボルトに限らず、ロックレバーと弾性体側との一方に設けたピンと、他方に設けた凹溝や透孔とで回転可能としてもよい。
また、長孔は、上下端にボルトやピン等の軸が横方向へ嵌合する溝部を延設したコ字状として上下位置での位置決めを可能としてもよいし、ロックレバーの基端部を下限位置へ付勢するバネ部材を設けて、係止状態での信頼性をさらに高めるようにしてもよい。
【００１７】
一方、ロックレバーの係止部も上記形態に限定されない。例えば第２係止部は、図４に示すように下側が傾斜面となる断面台形状の突条１９としても、同様にロックレバー４の倒伏操作時での弾性板７の乗り越えと弾性板６側への押圧とは可能である。勿論断面三角形状等の他の形状としても差し支えない。同様に第１係止部も、上記形態のような折り返し片の形状に限らず、第２係止部のような半円形や台形状、三角形状等に代えたりすることは可能である。
【００１８】
但し、係止部は２つ設けるものに限らず、ロックレバーの弾性板への係止構造は適宜設計変更可能である。例えば先の形態では、折り返し片１８をなくしてロックレバー４の先端部１６内面の突条１７を、ロックレバー４を上限位置で倒伏操作した際にその下側が弾性板７の外側上端縁に当接する位置に設けて、その当接状態からロックレバー４を下限位置へ押し込むことで、突条１７が弾性板７の外側に移動して弾性板７を弾性板６側へ押圧するようにしても、ロックレバー４の係止による弾性板６，７同士の接近は可能となる。この場合も係止部は半円形の突条に限らず、台形状や三角形状等を採用することができる。
【００１９】
その他、ロックレバーは係止部も含めて全体を帯状の板バネで形成することもできる。また、端子本体も、バッテリーポストが円錐状でなく、上下に亘って等径となる円筒状であれば、それに併せて嵌合部も円筒状とすればよいし、電線の接続形態も適宜変更可能である。
【図面の簡単な説明】
【００２０】
【図１】バッテリー端子の分解斜視図である。
【図２】（Ａ）〜（Ｃ）は夫々ロックレバーの動作説明図である。
【図３】バッテリー端子の取付状態を示す斜視図である。
【図４】ロックレバーの変更例を示す説明図である。
【符号の説明】
【００２１】
１・・バッテリーポスト、２・・バッテリー端子、３・・端子本体、４・・ロックレバー、５・・嵌合部、６，７・・弾性板、１０・・連結部、１１・・折曲片、１２・・長孔、１３・・連結片、１４・・ボルト、１６・・先端部、１７，１９・・突条。
【図１】
2008243458.tif 000003
【図２】
2008243458.tif 000004
【図３】
2008243458.tif 000005
【図４】
2008243458.tif 000006